(57)【特許請求の範囲】
【請求項１】
かみそりカートリッジパッケージであって、
前記かみそりカートリッジパッケージは、当該かみそりカートリッジパッケージの少なくとも１つの内面に組み込まれた感覚要素を有しており、
前記カートリッジパッケージは、少なくとも１つのかみそりカートリッジを収容し、
前記感覚要素は、前記かみそりカートリッジパッケージの前記内面に配置された図の配列であり、
前記図の配列が、前記かみそりカートリッジの磨耗段階に対応する一連の構図を有する、ことを特徴とするかみそりカートリッジパッケージ。
【請求項２】
前記感覚要素は、図、文章、又はこれらの任意の組み合わせを含む、請求項１に記載のパッケージ。
【請求項３】
少なくとも１つのかみそりカートリッジを収容するための少なくとも１つの容器と、
前記少なくとも１つの容器のそれぞれに取り外し可能に取り付けられた少なくとも１つのカバーと、を更に含む、請求項１または２に記載のパッケージ。
【請求項４】
前記少なくとも１つのカバーが、前記少なくとも１つの容器に接着によって密封されている、請求項３に記載のパッケージ。
【請求項５】
前記一連の構図は、
ルブラストリップに第１の色を有する前記かみそりカートリッジに関連付けられた満足そうな顔を描いた第１のしるしと、
前記ルブラストリップに第２の色を有する前記かみそりカートリッジに関連付けられた中立の表情の顔を描いた第２のしるしと、
前記ルブラストリップに第３の色を有する前記かみそりカートリッジに関連付けられた悲しそうな顔を描いた第３のしるしと、
前記ルブラストリップに前記第１の色を有する前記かみそりカートリッジに関連付けられた前記満足そうな顔を描いた第４のしるしと、を更に含む、請求項１乃至４のいずれか一項に記載のパッケージ。
【請求項６】
かみそりカートリッジパッケージの少なくとも１つの内面に感覚要素を組み込み、
前記感覚要素は、前記かみそりカートリッジパッケージの前記内面に配置された図の配列であり、
前記図の配列が、かみそりカートリッジの磨耗段階に対応する一連の構図を有する、ことを特徴とするかみそりカートリッジの製造方法。
【発明の詳細な説明】
【技術分野】
【０００１】
本発明は、パッケージ要素に関し、特にかみそりのパッケージ要素に関する。
【背景技術】
【０００２】
現在のかみそりカートリッジのパッケージとしては、各カートリッジの収容領域を有するプラスチック容器が挙げられる。多くの例では、消費者がかみそりシステムパッケージを購入する際に、かみそりカートリッジパッケージ、又は追加のかみそりカートリッジがシステムパッケージ内部に配置されたディスペンサーパッケージが存在する。典型的には、一旦内部のかみそりシステムパッケージを開封すると、消費者は、単にブレードと、余分のかみそりカートリッジを有するディスペンサーパッケージとを保存して、パッケージを捨てるか又はリサイクルする傾向がある。したがって、特定のかみそり製品の機能について提供された任意の情報が内部パッケージに存在した場合、それらの情報は失われる。更に、かみそりの特徴及び使用方法についての詳細情報は、典型的にはかみそりシステム製品の内部パッケージ又はディスペンサーパッケージのいずれにも見られない。
【０００３】
その上、男性用及び女性用かみそりカートリッジは、典型的には異なる形式のパッケージで包装されている。
【０００４】
例えば、男性用カートリッジは、典型的には４つ以上のカートリッジが積み重なって各カートリッジの一部が露出したカートリッジディスペンサーに収容されている。このようなディスペンサーの短所の１つは、前に使用したカートリッジをディスペンサーに戻す場合、古い、つまり使用したカートリッジと新品のカートリッジとの区別が非常に困難なことがあるため、ディスペンサー内のカートリッジのどれが新品でどれが新品でないかをユーザーに示す明確な目印がないことである。この困難に加えて、この種のディスペンサーは、ディスペンサー又は保存カートリッジを開封する必要がないので、覆われていないという現実がある。
【０００５】
対照的に、一群の女性用剃毛カートリッジ、例えば、Ｇｉｌｌｅｔｔｅ（登録商標）Ｖｅｎｕｓ（登録商標）Ｂｒｅｅｚｅ（商標）は、典型的には個別に密封されたプラスチックタブ内にカートリッジを収容する。新しいカートリッジが必要なときに、新しいカートリッジを保証するため、タブの上部にあるシールが破られるか又は剥がされる。これにより、カートリッジは、男性用カートリッジとは異なり、シャワー内に保存可能であるという更なる利点がもたらされる。
【０００６】
剃毛カートリッジ又はその他の保存品のこのような容器は、米国特許第６，４９９，５９５号、同第６，６４８，１４０号、及び同第６，８８６，６９０号に記載されている。
【０００７】
剃毛処理中及び処理後に香りなどの感覚要素を有するという概念は、当該技術分野において既知であったが、限定的な形態においてのみであった。このような形態の１つは、シェーブ準備及び／又はアフターシェーブ製品に含まれる香りである。その他の形態には、剃毛補助剤、又はかみそりカートリッジの周囲に配置されて石鹸内に種々の香りを有する石鹸環（例えば、Ｇｉｌｌｅｔｔｅ（登録商標）Ｖｅｎｕｓ（登録商標）Ｂｒｅｅｚｅ（商標）及びＳｃｈｉｃｋ（登録商標）Ｉｎｔｕｉｔｉｏｎ（登録商標））が挙げられる。更に、香りは、剃毛処理中に剃毛体験を特定の香りに関連付けるためにも、かみそりのハンドル部分に添加されている。既知の香り付きハンドルのかみそり製品は、Ｇｉｌｌｅｔｔｅ（登録商標）Ｖｅｎｕｓ（登録商標）Ｍａｌｉｂｕ（商標）かみそりシステムである。これらの香りは、かみそり自体の様々な領域（例えば、カートリッジ又はハンドル）に全面的に組み込まれる。
【先行技術文献】
【特許文献】
【０００８】
【特許文献１】米国特許第６，４９９，５９５号
【特許文献２】米国特許第６，６４８，１４０号
【特許文献３】米国特許第６，８８６，６９０号
【発明の概要】
【発明が解決しようとする課題】
【０００９】
ますます多くの機能がかみそりシステム及びかみそりカートリッジに含まれることから、それぞれの使用時に剃毛体験を向上及び改善するために、ユーザーにより多くの情報を提供する必要がある。
【００１０】
更に、消費者がかみそり製品についてより良く知らされ、自身の安全性とかみそりカートリッジの消費とをより良く最適化できる、男性用及び女性用かみそりカートリッジの両方に好適な固有のパッケージ及びパッケージ方法を提供する必要がある。
【課題を解決するための手段】
【００１１】
本発明に従って、新しいかみそりカートリッジパッケージは、カートリッジパッケージの少なくとも１つの内面に組み込まれた少なくとも１つの感覚要素を含み、カートリッジパッケージは、少なくとも１つのかみそりカートリッジを収容する。
【００１２】
本発明の別の態様では、パッケージは、パッケージの少なくとも１つの内面に組み込まれた少なくとも１つの感覚要素を含む。本発明の感覚要素は、視覚、嗅覚、触覚、聴覚、及び味覚、又はこれらの任意の組み合わせからなる群から選択される１つ以上の感覚に対する刺激を提供する。パッケージは、かみそり製品、歯ブラシヘッド、電池、女性用ケア製品（例えば、タンポン）、ベビーケア製品、ヘルスケア製品、ホームケア製品（例えば、乾燥剤シート、Ｓｗｉｆｆｅｒ（登録商標）交換用シートなど）、美容製品、及びペットケア製品からなる群から選択される１つ以上の品目を収容するための少なくとも１つの容器を含み得る。
【００１３】
本発明は、カートリッジパッケージの少なくとも１つの内面に少なくとも１つの感覚要素を組み込むかみそりカートリッジパッケージの製造方法を提供する。感覚要素は、視覚、嗅覚、触覚、聴覚、及び味覚、又はこれらの任意の組み合わせからなる群から選択される１つ以上の感覚に対する刺激を提供する。
【００１４】
本発明の更に別の態様では、かみそりカートリッジパッケージの内面に配置された図の配列が提供され、配列には、かみそりカートリッジの磨耗段階に対応する一連の構図が含まれる。
【００１５】
他に定義されない限り、本明細書において使用される全ての技術的用語及び科学的用語は、本発明の属する分野の当業者に慣例的に理解されるものと同じ意味を有する。本明細書に記載されているのと同様又は同等の方法及び材料は本発明を実施又は試験するために使用することが可能であるが、好適な方法及び材料を以下に記載する。本明細書で言及される全ての刊行物、特許出願、特許、及び他の参考文献は、参照することによりその全体を本明細書に組み込む。不一致である場合、定義を含め本明細書は調整される。更に、材料、方法、及び実施例は一例に過ぎず、制限することを意図していない。
【００１６】
本発明の他の特徴及び利点は、以下の詳細な説明及び特許請求の範囲から明らかとなるであろう。
【図面の簡単な説明】
【００１７】
本明細書は、本発明を形成するとみなされる主題を特定して指摘し明確に請求する請求項にて結論とするが、本発明は、添付の図面と関連づけて行う次の説明によってよりよく理解されると考えられ、添付の図面中では同様の表記は実質的に同一の要素を示すのに使用する。
【図１】本発明に従って一部開封されたパッケージの内面に配置された感覚要素を示すかみそりカートリッジパッケージの斜視図。
【図１Ａ】本発明に従って一部開封されたパッケージの内面に配置された感覚要素を示すかみそりカートリッジパッケージの斜視図。
【図２】本発明の別の実施形態に従って一部開封されたパッケージの内面に配置された感覚要素を示すかみそりカートリッジパッケージの斜視図。
【図３】本発明の別の実施形態に従って一部開封されたパッケージの内面に配置された感覚要素を示すかみそりパッケージの斜視図。
【図４】本発明の更に別の実施形態に従ってパッケージの内面に配置された感覚要素を示すかみそりカートリッジパッケージの斜視図。
【図５】本発明の更に別の実施形態に従ってパッケージの内面に配置された感覚要素を示すかみそりカートリッジパッケージの斜視図。
【図６】本発明の更に別の実施形態に従ってパッケージの内面に配置された感覚要素を示すかみそりカートリッジパッケージの斜視図。
【図７】本発明の更に別の実施形態に従ってパッケージの内面に配置された感覚要素を示すかみそりカートリッジパッケージの斜視図。
【発明を実施するための形態】
【００１８】
装置（例えば、かみそりカートリッジ）を収容するための新しいパッケージ（例えば、かみそりカートリッジパッケージ）が開示され、パッケージは、パッケージの内面に組み込まれた少なくとも１つの感覚要素を含む。
【００１９】
感覚要素には、視覚、触覚、嗅覚、聴覚、味覚、及びこれらの組み合わせの１つ以上の感覚に対する刺激が挙げられる。内部パッケージ感覚要素は、かみそりカートリッジの特徴及び／又は使用のしるし、又はこれらの任意の組み合わせに対応することができる。また、内部感覚要素は、カートリッジの特徴又は使用に直接関係しないこともあるが、かみそりカートリッジが新品であることを知らせる、又はいくつかの点でユーザーの剃毛体験を向上若しくは改善する、その他の事項を伝えることに対応することができる。
【００２０】
本発明における視覚要素は、視覚に依存する任意のアイテム又は要素であってもよい。このようなアイテムには、図及び／若しくは文章、又はこれらの任意の組み合わせが挙げられ得る。図には、絵、図表、又はその他の視覚に訴える表現が挙げられ得る。図には、例えば、三次元のイメージを示すホログラムが含まれてもよい。
【００２１】
本発明における触覚要素は、触覚に依存する任意のアイテム又は要素であってもよい。このようなアイテムには、パッケージ内部にある何かを触る、若しくは感じ取る手、指など、及び／又はその接触により知覚される感覚が挙げられ得る。例えば、滑らかさ、粗さ、柔らかさ、柔毛質、又はこれらの任意の組み合わせの１つ以上の感触が意図され得る。
【００２２】
本発明における嗅覚要素は、匂い又は香りが鼻を通じて嗅覚神経により知覚される、嗅覚に依存する任意のアイテム又は要素であってもよい。このようなアイテムには、果物、液果類、花、ミント、野外（例えば、草、雨、牧草地、針葉樹林）の香りを含み得る芳香剤、市販の芳香剤（例えば、上質若しくは高級な芳香剤）、特定のデモグラフィックス、市場、若しくは国、又は休日に特有のスパイスの香り、新車の匂い、又は飲食物（例えば、クッキー、パイ、コーヒー）の匂い、又はこれらの任意の組み合わせが挙げられ得る。
【００２３】
本発明における聴覚要素は、耳により音を聞く又は知覚する感覚に関する任意のアイテムであり得る。このようなアイテムには、音、音調、音楽、楽音、発声、雑音、振動など、又はこれらの任意の組み合わせが挙げられ得る。
【００２４】
本発明における味覚要素は、口を使用することにより何かの味又は質を味わう若しくは知覚する又は識別する感覚に関する任意のアイテムであり得る。このようなアイテムには、食用のキャンディ、ミント、ガム、若しくは液体、又はこれらの任意の組み合わせが挙げられ得る。
【００２５】
感覚要素の種類に応じて、カートリッジパッケージの内面の一部に感覚要素を組み込む、配置する、貼り付ける、取り付ける、又は結合する、任意の好適な方法又は手段が、本発明において意図される。
【００２６】
芳香剤に関して本発明で使用するとき、用語「〜に組み込む」又は「〜内に組み込む」は、芳香剤がパッケージ「〜に一体化される」、「〜上に配置される」、「〜内に配置される」、又は「〜内に置かれる」ことを意味するものとし、したがって、これらの同等の用語は区別なく使用され得る。
【００２７】
用語「芳香剤」は、本明細書において「香り」を有する特性を意味するように使用されるが、芳香剤及び香りという用語は区別なく使用され得る。
【００２８】
本発明の一実施形態では、新しいパッケージは、パッケージの少なくとも１つの内面に組み込まれた芳香剤などの嗅覚要素を有していてもよい。この実施形態では、芳香剤は、パッケージが開封されると放出され、新品で未使用であることを強調する新規の新しい匂いをユーザーに連想させ得る。したがって、本発明では、芳香剤は、パッケージの開封にも密接に関連付けられる。
【００２９】
ここで本発明の図１を参照すると、パッケージ１０は、「タブ」の形態でカバー１４を有する容器１２と、芳香剤１８（例えば、嗅覚刺激剤）の形態でパッケージ１０に組み込まれた感覚要素とを含むように示されており、芳香剤１８はパッケージ１０の内面に組み込まれている。このようなカバー１４及び容器１２を有するパッケージ１０では、芳香剤１８は、カバー１４の内面１４ａ若しくは容器１２のいずれか又は両方に組み込まれていてもよい。望ましくは、芳香剤１８は、パッケージ１０を密閉又は密封する前に、パッケージ内部に組み込まれる。容器１２は、図１に示されるように内部に収容されたかみそりカートリッジ１９を有することができる。Ｇｉｌｌｅｔｔｅ（登録商標）Ｖｅｎｕｓ（登録商標）Ｂｒｅｅｚｅ（商標）などの多くの女性用かみそりは、特定の香り又は芳香剤を典型的に有する石鹸ウィングを備えたカートリッジを有する。したがって、図１では、カバー１４が開封されると、これらの感覚要素領域は、石鹸ウィングの強力な香りを放出してもよい。
【００３０】
芳香剤１８がカバー１４の内面１４ａに組み込まれている場合、芳香剤１８は、図１に示されるように、カバー１４の下面１４ａ上の香り付きオイルの液滴又はクリームの形態である香料又はその他の製剤であってもよい。芳香剤１８には、カバー１４の内面１４ａ上に組み込まれた小さな花の匂い袋が含まれ得る。
【００３１】
芳香剤１８は、剃毛を改善するように、及び／又は剃毛体験を更に向上させるように、ユーザーが手、首、顔、又は体に塗布できる剃毛補助剤、ローション又はクリームを含み得るので、本発明においてユーザーに快適な感触を与える触覚要素も包含することができる。
【００３２】
カバー１４は、図１に示されるように、容器１２に接着結合されるプラスチックシールである。更に、接着剤は、芳香剤１８の香りを「封入」することができる。シールカバー１４が、（例えば、ユーザーが新しいカートリッジを必要とする時点で）図１に示されるように破られるか又は最初に剥がされると、芳香剤１８からの香りがパッケージ１０から放出されて空気中に漂い、匂い又は香りはユーザーの鼻を通じて嗅覚神経により知覚される。放出時に、この芳香は、かみそりカートリッジが新品であり、一度も使用されておらず、剃毛体験を快適に向上させることをユーザーに暗示する。
【００３３】
上述したように、本発明の芳香剤は、任意の多数の方法及び位置においてパッケージに組み込まれていてもよい。したがって、芳香剤１８は、図１に示されるようにパッケージ１０の粘着剤又は接着剤１３内に配置又は一体化されていてもよく、パッケージ１０は他の接着剤を含むことがあるため、接着剤は、カバー１４を容器１２に密封するのに使用される接着剤と同じでも異なっていてもよい。
【００３４】
本発明の更に別の実施形態では、芳香剤１８（例えば、芳香油の多数の液滴）は、図１Ａに示されるように容器１２の内面１５又は開封タブ１７の下面に配置されてもよい。また、芳香剤１８は、図１Ａに示されるように、それぞれ容器の材料（例えば、ポリマー）及び／又はカバーの材料（例えば、プラスチック）に混合されるか又は埋め込まれていてもよい。
【００３５】
感覚要素の芳香剤１８は、パッケージの一箇所のみに存在するように限定されないため、上記のこれらの位置の一箇所、数箇所、又はこれらの位置のすべてに、任意の適切な方法で、所望に応じて任意の他の感覚要素と組み合わせて、配置され得ることが意図される。
【００３６】
本発明では、パッケージに組み込むために、任意の形態における任意の種類の感覚要素が意図される。上述したように、芳香剤の観点でいくつかの望ましい嗅覚要素は、果物、液果類、花、若しくはミントの香り、洗いたての洗濯物の香り、野外（例えば、草、雨、牧草地、若しくは針葉樹林）の香り、上質若しくは高級な芳香剤などの市販の芳香剤、独特な市場若しくは国に特有のスパイスの香り、新車の匂い、又は食品（例えば、焼きたてのクッキー若しくはパイ）若しくは入れたてのコーヒーの匂いであってもよい。
【００３７】
本発明は、任意の他の適切な材料を使用して任意の形状又は形態のふた又はキャップなどの任意の種類のカバーを形成してもよいが、プラスチック若しくはホイル又はそれらの任意の誘導体から構成されたカバーを包含していてもよい。
【００３８】
本発明では、容器１２は、かみそり又はかみそりカートリッジ又は任意の他の好適な品を適切に収容するために、ポリエチレン（ＰＥＴ）、ポリプロピレン、若しくはポリエチレンテレフタレートグリコール（ＰＥＴＧ）材料などのポリマープラスチック、又は任意の他の好適なプラスチック、エラストマー、若しくはこれらの誘導体から構成されてもよい。
【００３９】
更に、別の方法としては、本発明のパッケージ１０は、（例えば、カバーが容器に一体化された）一体型の部品として形成されてもよく、したがって、本発明の芳香剤も、本明細書に記載のポリマーパッケージ及びシール型カバーに加えて、任意の形態の容器又はカバーを有する任意の種類のパッケージに組み込まれていてもよい。いくつかの代替パッケージの例は、以下に記載される。
【００４０】
ここで図２を参照すると、本発明の代替実施形態は、プラスチック又はホイルシール２４で密封された５つの個別のカートリッジ２２を有するパッケージ２０を含むように示されている。それぞれの個別のシール２４が（例えば、新しいカートリッジを必要とする時点で）破られるか又は剥がされると、図１に関して上述したように、香りを有する芳香剤２６がパッケージから放出される。放出時に、この香りは、かみそりカートリッジが新品であり、一度も使用されておらず、剃毛体験を向上させることをユーザーに暗示する。本明細書に記載のシール２４及び任意のカバーは、ユーザーにパッケージ内のかみそり製品の視覚的手がかりを与えるように、透明、半透明、部分透明、又は不透明であり得ることに留意すべきである。
【００４１】
本発明の感覚要素パッケージの概念は、米国特許出願第１２／２１５，８１８号、名称「Ｐｒｏｔｅｃｔｉｖｅ  Ｃｏｎｔａｉｎｅｒ  ｆｏｒ  Ｒａｚｏｒ」に記載され、図３に示されるように、カートリッジ及びハンドルを有するかみそりを保護するように収容できる密封容器にも適用され得る。図３に示されるように、パッケージ３０は、カバー３４及び芳香剤３６を有する容器３２を含む。パッケージ３０は、内部に収容されたかみそりを有することができる（かみそりのハンドル３８は図３に示される）。
【００４２】
したがって、本発明の新しい態様は、任意の種類のかみそりパッケージに等しく適用されるであろう。
【００４３】
ここで本発明の図４を参照すると、感覚要素は、ディスペンサーパッケージ４０の内面に結合された（又はパッケージのカバーに組み込まれた）１つ以上のステッカー（例えば、視覚要素）又はラベルを含むように示されており、ステッカーは、視覚的な剃毛性能のためにカートリッジに関する情報特性及び使用方法（例えば、交換ペース）を消費者に伝えるように、図及び／又は単語（例えば、文章）を含んでいてもよい。
【００４４】
ステッカーは、ディスペンサーパッケージの任意の内面（例えば、カバー又は容器の内面）に配置されていてもよく、任意の種類のプラスチックから作製され、これらのディスペンサーパッケージの内面に接着によって密封されていてもよい。図４は、かみそりカートリッジなどの品（図示なし）を内部に配置できる容器４１を有するディスペンサーパッケージ４０を示す。図４のステッカー４２は、かみそりカートリッジが取り出されるであろうパッケージ４０の同じ側面に位置するカバーシート４３の内面４３ａに配置され得る。カバーシート４３と、したがってステッカー４２とは、ユーザーが新しいかみそりカートリッジを入手できるように、望ましくは剥がされ得る。
【００４５】
図４のパッケージ４０上のステッカー４２は、かみそりカートリッジのルブラストリップ（lubrastrip）の特徴を説明していてもよい。この実施形態では、図４の各ステッカー４２に示された４つの図が存在する。図４２ａは、男性の顔に隣接する、特定の色４２ａ’（例えば、緑色）のルブラストリップを示すかみそりカートリッジと、数字の１と、「新品」という単語とを含むように示されている。男性の顔は笑顔で描かれている。したがって、図４２ａは、新品のときのルブラストリップの外見をユーザーに伝え、笑顔の男性（例えば、満足そうな様子）を示すことにより、カートリッジが実質的に快適な体験を提供するであろうという合図をユーザーに与えている。
【００４６】
ここでステッカー４２ｂ上の図４２ｂを参照すると、色４２ａ’とは異なる特定の色４２ｂ’（例えば、黄色）のルブラストリップを有するかみそりカートリッジと、数字の２と、「劣化」という単語とが示されている。したがって、図４２ｂは、劣化又は磨耗したときのルブラストリップの外見をユーザーに伝えている。この例では、図４２ａと４２ｂとの間でルブラストリップの色の変化を示すことにより、この情報をユーザーに提供している。
【００４７】
ステッカー４２ｃ上の図４２ｃは、男性の顔に隣接する、色４２ａ’及び４２ｂ’とは異なる特定の色４２ｃ’（例えば、赤色）のルブラストリップを有するかみそりカートリッジと、数字の３と、「交換」という単語とを示す。図４２ｃの男性の顔は、眉をひそめた様子で描かれている。したがって、図４２ｃは、ルブラストリップが磨耗したときのルブラストリップの外見と、かみそりカートリッジの交換時期とをユーザーに伝えている。図４２ｂと４２ｃとの間ルブラストリップの色の変化を示すことにより、図４２ｃは、最適なブレード性能を維持するためのかみそりカートリッジの交換時期と、かみそりカートリッジの最良の使用方法とに関する情報をユーザーに提供している。
【００４８】
図４２ｄは、男性の顔に隣接する、本発明では図４２ａに示されるように４２ａ’と同じ色であり得る特定の色４２ｄ’（例えば、緑色）のルブラストリップを有する新しいかみそりカートリッジと、数字の４と、「新しいブレード、より良い剃毛」という語句とを含むように示されている。男性の顔は、（図４２ａと同様に）笑顔で描かれている。したがって、図４２ｄは、新しいかみそりカートリッジと交換されたときのルブラストリップの外見をユーザーに伝え、図４２ｄで笑顔の男性を示すことにより、また「新しいブレード、より良い剃毛」という語句を提供することにより、新たに交換されたかみそりカートリッジが図４２ｃのものより良く剃れるであろうという合図及び情報をユーザーに提供している。
【００４９】
要約すると、図４の図４２ａ、４２ｂ、４２ｃ、及び４２ｄは、停止信号が緑色から黄色、赤色に変化し、赤色が最適なブレード性能を維持するためにブレードを交換する合図として働くという機能を適切に伝えている。したがって、かみそりカートリッジの適切な交換時期が分からない又は慎重になり得るユーザーは、消費及び安全性を最適化するための上記の図４２ａ、４２ｂ、４２ｃ、及び４２ｄ（例えば、ルブラストリップの色の変化及び交換時期を示す図）により提供される十分な情報を得られるので、各かみそりカートリッジの使用が不十分又は過剰にならない。また、本明細書に記載されるような図は、今後使用するたびにカートリッジブレードの皮膚に対する感触により注意を払うようにユーザーを有利に促すことがある。
【００５０】
対照的に、ディスペンサーパッケージの内部に感覚要素が提供されない先行技術のディスペンサーパッケージでは、ルブラストリップの色の変化及びかみそりカートリッジの交換時期、又は付記されることが望ましい任意の他の機能をユーザーに明確に伝えられず、ユーザーの知識は、過去の体験の記憶又はことによると内部パッケージの情報の記憶に基づき、結局は時が経つにつれて当て推量に基づくことがある。したがって、この感覚要素をディスペンサーパッケージの内面に提供することにより、当て推量をなくすことでユーザーに予期せぬ結果又は利益がもたらされる。これは、店で製品を購入するとき又はかみそりパッケージを最初に開封するときだけでなく、ユーザーは、今後かみそりカートリッジを使用するたびに、信頼性が高く、解釈が容易であり、人目を引くこれらの図及び情報を有し、自由に使用できるようになるからである。更に、この利益は、消費者にとって新たな手順、新たな考え方、又は余分な作業を必要とせずに達成される。
【００５１】
その上、内面に組み込まれた感覚要素を有するこの固有のパッケージは、新たな機能を有する新しいかみそり製品が出現したときに非常に有益であり、ユーザーに新たな特徴及びその他の情報を伝えるステッカー又はその他の手段により、剃毛体験が向上し、ユーザーの安全性及びカートリッジ消費が最適化されるであろう。
【００５２】
本発明は、ディスペンサーパッケージの任意の内面に配置又は組み込まれたかみそりカートリッジの特徴及び推奨使用方法に対応する任意の種類の視覚的メッセージ又は通知を提供することを意図する。
【００５３】
例えば、視覚要素の別の例が図５に示されており、４つの連結容器５４ａ、５４ｂ、５４ｃ、及び５４ｄを有するディスペンサーパッケージ５０は、かみそりカートリッジが取り出されるパッケージ５０の側面上でなく、パッケージ５０の容器５４ａ、５４ｂ、５４ｃ、及び５４ｄ上にそれぞれ配置されたカバー５３ａ、５３ｂ、５３ｃ、及び５３ｄの内部又は内面５１ａ、５１ｂ、５１ｃ、及び５１ｄに配置又は組み込まれた文章を有するラベル又はステッカー５２ａ、５２ｂ、５２ｃ、及び５２ｄを含むように示されている。各カバーシート（及びしたがってそれぞれのステッカー）は、ユーザーが新しいかみそりカートリッジを入手できるように、望ましくは剥がされ得る。
【００５４】
本発明は、ディスペンサーパッケージの内側及び内側周辺のどこにでも視覚要素を有することを更に意図する。例えば、視覚要素は、ステッカー５５ａで示されるようにカートリッジ自体の背後の内面５５に配置されていてもよく、したがってカートリッジを使用のために取り出すと適切に見ることができる。本発明の視覚要素は、パッケージの内面上の任意の位置の組み合わせに配置されてもよい。
【００５５】
図５では、内面５１ａ、５１ｂ、５１ｃ、及び５１ｄ、又はステッカー５２ａ、５２ｂ、５２ｃ、及び５２ｄは、文章からなる図５２ａ、５２ｂ、５２ｃ、及び５２ｄを含むように示されている。上記のように、ステッカーはプラスチックで作製されていてもよい。図５に示されるように、カバーシート５３ａを剥がすと図５２ａが現れる。同様に、カバーシート５３ｂ等を剥がすと図５２ｂ等が現れる。図には任意の字句が含まれていてもよい。図５では、図５２ａは「剃毛クリームを用意しましたか？」と述べており、図５２ｂは「こんにちは」という字句を含み、図５２ｃは「入手可能な最上のもの！」という字句を含み、図５２ｄは「さよなら！」という字句を含む。
【００５６】
したがって、図５の各図は、カートリッジの最適な使用方法について１つ以上の視覚要素を消費者に伝えてもよく、又は剃毛体験を向上させてもよい。
【００５７】
パッケージの外面上の他の視覚要素（図示なし）と組み合わせて、カバーシートを取り外す順序又はかみそりカートリッジの使用順序を示す指示を本発明で提供してもよい。
【００５８】
本発明のメッセージ又は通知は、上記のようにディスペンサーパッケージの内面に組み込まれた図及び文章又は単語を含み得るが、他の感覚要素又は更にはこれらの任意の組み合わせも含み得る。例えば、感覚要素は、特徴を目立たせる又はかみそりカートリッジの使用方法を示すのに対応する聴覚、触覚、及び味覚刺激、若しくはこれらの任意の組み合わせも含むか、又は剃毛体験を向上させ得る。
【００５９】
ここで図６を参照すると、本発明の別の実施形態に従って、本発明の容器６１及びカバー６２を有する単一カートリッジパッケージ６０は、カバー６２を開封する際に、又はパッケージ６０の感覚要素６４ａの周辺領域６５を押すか又はことによるとパッケージ６０を振動若しくは傾斜させることにより、自発的に音又は音楽刺激のいずれかを発し得る聴覚要素６４ａをカバー６２の内面６２ａに含むように示されている。例えば、発せられる音は、消費者に話しかけてかみそりカートリッジの特徴若しくは使用方法を伝える人の声を含んでいてもよく、又は製品ブランド若しくはその他の商業化特性に関する短いフレーズ若しくは言葉、又はその他の任意のポピュラー音楽を含んでいてもよい。例えば、発声又は人の話す声は、「ミルクティーのような香りがします」又は「素敵な剃毛を！」又は「ボタンを押して音楽を聴いてください」と言っていてもよい。話す人は、製品ブランドに結び付く個人（例えば、Ｔｉｇｅｒ  Ｗｏｏｄｓなどの著名な代弁者）であってもよく、又はポピュラー歌手の声（例えば、Ｍｉｌｅｙ  Ｃｙｒｕｓ）又はその他の特定の人々の層若しくは年齢群若しくは国で識別可能な人であってもよい。
【００６０】
図６に示されるような領域６５は、ユーザーに触覚要素６５ａを提供するであろう。触覚刺激には、滑らかさ、粗さ、柔らかさ、柔毛質、又はこれらの任意の組み合わせが挙げられ得るが、これらに限定されない。この触覚は、ユーザーの剃毛体験を向上させることができ、又は音を出すことによりユーザーにかみそりカートリッジの特徴若しくは使用情報を間接的に伝えることができる。
【００６１】
ここで図７を参照すると、容器７１及びカバー７２を有する単一かみそりカートリッジパッケージ７０は、本発明に従ってカバー７２の内面７２ａに組み込まれた味覚刺激として感覚要素７４を含むように示されている。図７において、味覚刺激７４には、１つ以上の食品片、キャンディ、ミント、ガム、若しくは液体、又はこれらの任意の組み合わせが含まれ得るが、これらに限定されない。味覚刺激７４は、ユーザーの剃毛体験を向上させることができ、又はユーザーにかみそりカートリッジの特徴若しくは使用情報を伝えることができる。
【００６２】
このように、本発明に従って、任意の数の感覚要素及びこれらの任意の組み合わせが、任意の種類のパッケージの内面の任意の部分に組み込まれていてもよい。かみそり又はかみそりカートリッジパッケージでは、パッケージは、１つ、２つ、３つ、４つ、５つ、又はそれ以上のかみそりカートリッジ容器から構成されていてもよく、カバー又はカバーシートを含んでいてもよい。
【００６３】
かみそりカートリッジパッケージの内面に感覚要素を組み込んだ本発明の新しい態様は、上記のかみそりカートリッジのディスペンサーパッケージ以外の他の種類のパッケージにも適用され得る。例えば、使い捨て部分又は消耗品を含み、ユーザーが補充品又は他の消耗品を購入する必要がある任意の製品が、本発明において意図され得る。このようなパッケージには、歯ブラシヘッド、電池、女性用ケア製品（例えば、タンポン）、ベビーケア製品、ヘルスケア製品、ホームケア製品（例えば、乾燥剤シート、Ｓｗｉｆｆｅｒ（登録商標）交換シートなど）、美容製品、及びペットケア分野の製品などの製品が挙げられ得るが、これらに限定されない。
【００６４】
本明細書に開示されている寸法及び値は、列挙した正確な数値に厳しく制限されるものとして理解すべきではない。それよりむしろ、特に規定がない限り、こうした各寸法は、列挙された値とその値周辺の機能的に同等の範囲との両方を意味することが意図される。例えば、「４０ｍｍ」として開示された寸法は、「約４０ｍｍ」を意味することを意図する。
【００６５】
本発明の「発明を実施するための形態」で引用した全ての文献は、関連部分において本明細書に参考として組み込まれるが、いずれの文献の引用も、それが本発明に関して先行技術であることを容認するものとして解釈すべきではない。この文書における用語のいずれかの意味又は定義が、参考として組み込まれる文献における用語のいずれかの意味又は定義と対立する範囲については、本文書におけるその用語に与えられた意味又は定義を適用するものとする。
【００６６】
本発明の特定の実施形態が例示され、記載されてきたが、本発明の趣旨及び範囲から逸脱することなく、他の様々な変更及び修正を実施できることが、当業者には明白であろう。したがって、本発明の範囲内にあるそのようなすべての変更及び修正を、添付の「特許請求の範囲」で扱うものとする。
【図１】
0005384666.tif 000002
【図１Ａ】
0005384666.tif 000003
【図２】
0005384666.tif 000004
【図３】
0005384666.tif 000005
【図４】
0005384666.tif 000006
【図５】
0005384666.tif 000007
【図６】
0005384666.tif 000008
【図７】
0005384666.tif 000009